(57)【要約】【課題】光源部の発光量が所望の発光量に制御されるまでに要する時間をより確実に短縮することができる技術を提供する。【解決手段】本発明の制御装置は、光源部から発せられた光の発光量と発光色の少なくとも一方の検出値である光検出値を取得する第１取得手段と、前記光源部の温度に関連する温度情報を取得する第２取得手段と、前記光検出値と前記温度情報の少なくとも一方に基づいて、前記光検出値が目標値に近づくように、前記光源部を駆動するための駆動信号を制御する駆動制御を行う制御手段と、を備え、前記駆動制御の開始時において、前記制御手段は、過去のタイミングに対応し且つ前記光源部の駆動信号に関連する過去駆動情報、当該過去のタイミングに対応する温度情報である過去温度情報、及び、現在のタイミングに対応する温度情報である現温度情報に基づいて、前記光源部の駆動信号を制御する。【選択図】図１
2018206510.tif 000002
【特許請求の範囲】
【請求項１】
光源部から発せられた光の発光量と発光色の少なくとも一方の検出値である光検出値を取得する第１取得手段と、
前記光源部の温度に関連する温度情報を取得する第２取得手段と、
前記光検出値と前記温度情報の少なくとも一方に基づいて、前記光検出値が目標値に近づくように、前記光源部を駆動するための駆動信号を制御する駆動制御を行う制御手段と、
を備え、
前記駆動制御の開始時において、前記制御手段は、過去のタイミングに対応し且つ前記光源部の駆動信号に関連する過去駆動情報、当該過去のタイミングに対応する温度情報である過去温度情報、及び、現在のタイミングに対応する温度情報である現温度情報に基づいて、前記光源部の駆動信号を制御する
ことを特徴とする制御装置。
【請求項２】
現在のタイミングに対応し且つ前記光源部の駆動信号に関連する駆動情報と、当該現在のタイミングに対応する温度情報とを記憶部に記録する記録処理を行う記録手段、をさらに備え、
前記過去駆動情報は、前記記憶部に記録された駆動情報であり、
前記過去温度情報は、前記記憶部に記録された温度情報である
ことを特徴とする請求項１に記載の制御装置。
【請求項３】
前記記録手段は、前記記録処理を繰り返し、
前記過去駆動情報は、前記記憶部に対して最後に記録された駆動情報であり、
前記過去温度情報は、前記記憶部に対して最後に記録された温度情報である
ことを特徴とする請求項２に記載の制御装置。
【請求項４】
前記過去駆動情報は、前記光源部の駆動信号であるパルス信号のデューティ比、当該パルス信号のパルス幅、当該パルス信号のパルス振幅、前記光源部の所定の駆動信号を補正するための補正値、及び、光検出値の少なくともいずれかを示す
ことを特徴とする請求項１乃至請求項３のいずれか１項に記載の制御装置。
【請求項５】
前記温度情報は、前記光源部の周囲の温度の検出値、前記光源部が使用される環境の温度の検出値、前記光源部の駆動信号から判断された前記光源部の発熱量、及び、前記光源部の駆動信号から判断された前記光源部の消費電力の少なくともいずれかを示す
ことを特徴とする請求項１乃至請求項４のいずれか１項に記載の制御装置。
【請求項６】
前記駆動制御の開始時は、前記制御装置の起動時と前記駆動制御の再開時との少なくとも一方である
ことを特徴とする請求項１乃至請求項５のいずれか１項に記載の制御装置。
【請求項７】
前記温度情報と、前記光源部の所定の駆動信号を前記光源部の温度を考慮して補正するための温度補正値との対応関係が予め定められ、
前記駆動制御の開始時において、前記制御手段は、前記過去駆動情報、前記過去温度情報に対応する温度補正値、及び、前記現温度情報に対応する温度補正値に基づいて、前記光源部の駆動信号を制御する
ことを特徴とする請求項１乃至請求項６のいずれか１項に記載の制御装置。
【請求項８】
前記駆動制御の開始時において、前記制御手段は、
前記過去駆動情報と、前記過去温度情報に対応する温度補正値とに基づいて、前記光
源部の所定の駆動信号を前記光源部の劣化を考慮して補正するための劣化補正値を決定し、
前記劣化補正値と、前記現温度情報に対応する温度補正値とを用いて前記所定の駆動信号を補正することにより、前記光源部の駆動信号を決定する
ことを特徴とする請求項７に記載の制御装置。
【請求項９】
前記駆動制御の開始後において、前記制御手段は、現在のタイミングに対応する光検出値に基づいて、前記光源部の駆動信号を制御する
ことを特徴とする請求項１乃至請求項８のいずれか１項に記載の制御装置。
【請求項１０】
光源部と、
前記光源部から発せられた光の発光量と発光色の少なくとも一方の検出値である光検出値を取得する第１取得手段と、
前記光源部の温度に関連する温度情報を取得する第２取得手段と、
前記光検出値と前記温度情報の少なくとも一方に基づいて、前記光検出値が目標値に近づくように、前記光源部を駆動するための駆動信号を制御する駆動制御を行う制御手段と、
を備え、
前記駆動制御の開始時において、前記制御手段は、過去のタイミングに対応し且つ前記光源部の駆動信号に関連する過去駆動情報、当該過去のタイミングに対応する温度情報である過去温度情報、及び、現在のタイミングに対応する温度情報である現温度情報に基づいて、前記光源部の駆動信号を制御する
ことを特徴とする発光装置。
【請求項１１】
光源部と、
光源部から発せられた光を変調することにより画像を表示する表示部と、
前記光源部から発せられた光の発光量と発光色の少なくとも一方の検出値である光検出値を取得する第１取得手段と、
前記光源部の温度に関連する温度情報を取得する第２取得手段と、
前記光検出値と前記温度情報の少なくとも一方に基づいて、前記光検出値が目標値に近づくように、前記光源部を駆動するための駆動信号を制御する駆動制御を行う制御手段と、
を備え、
前記駆動制御の開始時において、前記制御手段は、過去のタイミングに対応し且つ前記光源部の駆動信号に関連する過去駆動情報、当該過去のタイミングに対応する温度情報である過去温度情報、及び、現在のタイミングに対応する温度情報である現温度情報に基づいて、前記光源部の駆動信号を制御する
ことを特徴とする表示装置。
【請求項１２】
光源部から発せられた光の発光量と発光色の少なくとも一方の検出値である光検出値を取得する第１取得ステップと、
前記光源部の温度に関連する温度情報を取得する第２取得ステップと、
前記光検出値と前記温度情報の少なくとも一方に基づいて、前記光検出値が目標値に近づくように、前記光源部を駆動するための駆動信号を制御する駆動制御を行う制御ステップと、
を有し、
前記駆動制御の開始時において、前記制御ステップでは、過去のタイミングに対応し且つ前記光源部の駆動信号に関連する過去駆動情報、当該過去のタイミングに対応する温度情報である過去温度情報、及び、現在のタイミングに対応する温度情報である現温度情報に基づいて、前記光源部の駆動信号を制御する
ことを特徴とする制御方法。
【請求項１３】
請求項１２に記載の制御方法の各ステップをコンピュータに実行させるためのプログラム。
【発明の詳細な説明】
【技術分野】
【０００１】
本発明は、制御装置、発光装置、及び、表示装置に関する。
【背景技術】
【０００２】
液晶表示装置などの表示装置では、低消費電力や高コントラスト比のために、光源部として発光ダイオード（ＬＥＤ：Ｌｉｇｈｔ  Ｅｍｉｔｔｉｎｇ  Ｄｉｏｄｅ）が使用されることがある。そして、光源部に供給するパルス電流を制御することにより、光源部の発光量を制御可能な表示装置では、光源部の発光量が所定の発光量に近づくように、パルス電流のフィードバック制御が行われることがある。フィードバック制御では、表示装置の起動時（電源投入時）から、光源部の発光量が所望の発光量に制御されるまでに、或る程度の時間を要する。具体的には、表示装置の起動時から、光源部の発光量が所定の発光量に収束するまでに、或る程度の時間を要する。以後、表示装置の起動時から、光源部の発光量が所定の発光量に収束するまでの時間を、「収束時間」と記載する。
【０００３】
光源部に供給するパルス電流が固定であっても、光源部の温度変化により、光源部の発光量が変化することがある。即ち、光源部の温度変化により、発光量とパルス電流の対応関係が変化し、所望の発光量を実現するために必要なパルス電流が変化することがある。そのため、表示装置の起動時に光源部に供給するパルス電流（初期パルス電流）が固定である場合に、表示装置の起動時における光源部の温度（初期温度）によっては、長い収束時間が必要になることがある。特許文献１には、光源部の温度に基づいて初期パルス電流を補正することにより、収束時間を短縮する技術が開示されている。
【０００４】
また、光源部に供給するパルス電流が固定であっても、光源部の劣化（経年変化）により、光源部の発光量が変化することがある。例えば、光源部の劣化により、光源部の発光量が低下することがある。即ち、光源部の劣化により、所望の発光量を実現するために必要なパルス電流が変化することがある。そのため、初期パルス電流が固定である場合に、表示装置の起動時における光源部の劣化の度合い（初期劣化度合い）によっては、長い収束時間が必要になることがある。特許文献２には、過去に所望の光量を実現したパルス電流（過去パルス電流）に基づいて初期パルス電流を補正することにより、収束時間を短縮する技術が開示されている。具体的には、特許文献２に開示の技術では、初期パルス電流に対する過去パルス電流の比である補正係数を初期パルス電流に乗算することにより、初期パルス電流が補正される。
【先行技術文献】
【特許文献】
【０００５】
【特許文献１】特開２００６−１７１６９３号公報
【特許文献２】特開２００６−１７１６９５号公報
【発明の概要】
【発明が解決しようとする課題】
【０００６】
しかしながら、特許文献１，２に開示の技術を用いても、収束時間を短縮できないことがある。例えば、特許文献１に開示の技術では、光源部の劣化が考慮されないため、初期劣化度合いによっては、長い収束時間が必要になることがある。そして、特許文献２に開示の技術において、過去パルス電流は、光源部の劣化の度合いと光源部の温度とに依存する。そのため、特許文献２に開示の技術では、初期温度が過去温度（過去パルス電流が決定された過去のタイミングでの光源部の温度）と異なる場合に、長い収束時間が必要になることがある。
【０００７】
さらに、特許文献２に開示の技術に対して特許文献１に開示の技術を組み合わせたとしても、収束時間を短縮できないことがある。そればかりか、特許文献２に開示の技術に対して特許文献１に開示の技術を組み合わせることで、収束時間が増すことがある。
【０００８】
ここで、過去温度が初期温度と異なり、且つ、初期温度が所定温度と等しい場合を考える。特許文献２に開示の技術において、初期温度が過去温度と異なる場合には、初期パルス電流を好適に補正できないことがある。そして、特許文献１に開示の技術において、初期温度が所定温度と等しい場合には、初期パルス電流は補正されない。そのため、特許文献１に開示の技術と、特許文献２に開示の技術との組み合わせにおいて、初期パルス電流を好適に補正できず、収束時間を短縮できないことがある。
【０００９】
次に、初期温度が過去温度と等しく、且つ、初期温度が所定温度と異なる場合を考える。特許文献２に開示の技術において、初期温度が過去温度と等しい場合には、初期パルス電流を好適に補正できる。しかしながら、特許文献１に開示の技術において、初期温度が所定温度と異なる場合には、初期パルス電流が補正される。そのため、特許文献１に開示の技術と、特許文献２に開示の技術との組み合わせにおいては、特許文献２に開示の技術に対応する好適な補正と、特許文献１に開示の技術に対応する補正とが行われる。その結果、上記組み合わせにおいて、初期パルス電流を好適に補正できず、収束時間を短縮できないことがある。
【００１０】
本発明は、光源部の発光量が所望の発光量に制御されるまでに要する時間をより確実に短縮することができる技術を提供することを目的とする。
【課題を解決するための手段】
【００１１】
本発明の第１の態様は、
光源部から発せられた光の発光量と発光色の少なくとも一方の検出値である光検出値を取得する第１取得手段と、
前記光源部の温度に関連する温度情報を取得する第２取得手段と、
前記光検出値と前記温度情報の少なくとも一方に基づいて、前記光検出値が目標値に近づくように、前記光源部を駆動するための駆動信号を制御する駆動制御を行う制御手段と、
を備え、
前記駆動制御の開始時において、前記制御手段は、過去のタイミングに対応し且つ前記光源部の駆動信号に関連する過去駆動情報、当該過去のタイミングに対応する温度情報である過去温度情報、及び、現在のタイミングに対応する温度情報である現温度情報に基づいて、前記光源部の駆動信号を制御する
ことを特徴とする制御装置である。
【００１２】
本発明の第２の態様は、
光源部と、
前記光源部から発せられた光の発光量と発光色の少なくとも一方の検出値である光検出値を取得する第１取得手段と、
前記光源部の温度に関連する温度情報を取得する第２取得手段と、
前記光検出値と前記温度情報の少なくとも一方に基づいて、前記光検出値が目標値に近づくように、前記光源部を駆動するための駆動信号を制御する駆動制御を行う制御手段と、
を備え、
前記駆動制御の開始時において、前記制御手段は、過去のタイミングに対応し且つ前記光源部の駆動信号に関連する過去駆動情報、当該過去のタイミングに対応する温度情報で
ある過去温度情報、及び、現在のタイミングに対応する温度情報である現温度情報に基づいて、前記光源部の駆動信号を制御する
ことを特徴とする発光装置である。
【００１３】
本発明の第３の態様は、
光源部と、
光源部から発せられた光を変調することにより画像を表示する表示部と、
前記光源部から発せられた光の発光量と発光色の少なくとも一方の検出値である光検出値を取得する第１取得手段と、
前記光源部の温度に関連する温度情報を取得する第２取得手段と、
前記光検出値と前記温度情報の少なくとも一方に基づいて、前記光検出値が目標値に近づくように、前記光源部を駆動するための駆動信号を制御する駆動制御を行う制御手段と、
を備え、
前記駆動制御の開始時において、前記制御手段は、過去のタイミングに対応し且つ前記光源部の駆動信号に関連する過去駆動情報、当該過去のタイミングに対応する温度情報である過去温度情報、及び、現在のタイミングに対応する温度情報である現温度情報に基づいて、前記光源部の駆動信号を制御する
ことを特徴とする表示装置である。
【００１４】
本発明の第４の態様は、
光源部から発せられた光の発光量と発光色の少なくとも一方の検出値である光検出値を取得する第１取得ステップと、
前記光源部の温度に関連する温度情報を取得する第２取得ステップと、
前記光検出値と前記温度情報の少なくとも一方に基づいて、前記光検出値が目標値に近づくように、前記光源部を駆動するための駆動信号を制御する駆動制御を行う制御ステップと、
を有し、
前記駆動制御の開始時において、前記制御ステップでは、過去のタイミングに対応し且つ前記光源部の駆動信号に関連する過去駆動情報、当該過去のタイミングに対応する温度情報である過去温度情報、及び、現在のタイミングに対応する温度情報である現温度情報に基づいて、前記光源部の駆動信号を制御する
ことを特徴とする制御方法である。
【００１５】
本発明の第５の態様は、上述した制御方法の各ステップをコンピュータに実行させるためのプログラムである。
【発明の効果】
【００１６】
本発明によれば、光源部の発光量が所望の発光量に制御されるまでに要する時間をより確実に短縮することができる。
【図面の簡単な説明】
【００１７】
【図１】本実施形態に係る表示装置の構成例を示すブロック図
【図２】本実施形態に係る温度テーブルデータの一例を示す図
【図３】本実施形態に係る発光制御部の内部構成例を示すブロック図
【図４】本実施形態に係る記録処理の一例を示すフローチャート
【図５】本実施形態に係る駆動制御の一例を示すフローチャート
【発明を実施するための形態】
【００１８】
以下、本発明の実施形態について説明する。以下では、本実施形態に係る制御装置を備
える変調型表示装置（透過型表示装置、反射型表示装置、等）の例を説明する。変調型表示装置は、光源部と、光源部から発せられた光を変調（透過、反射、等）することにより画像を表示する表示部とを備える。例えば、変調型表示装置は、液晶表示装置、ＭＥＭＳ（Ｍｉｃｒｏ  Ｅｌｅｃｔｒｏ  Ｍｅｃｈａｎｉｃａｌ  Ｓｙｓｔｅｍ）シャッター方式表示装置、等である。
【００１９】
なお、本実施形態に係る表示装置は、変調型表示装置に限られない。例えば、本実施形態に係る表示装置は、有機（Ｅｌｅｃｔｒｏ−Ｌｕｍｉｎｅｓｃｅｎｃｅ）表示装置、プラズマ表示装置、等の自発光型表示装置であってもよい。本実施形態に係る表示装置が自発光型表示装置である場合には、上記光源部は、有機ＥＬ素子、プラズマ素子、等の表示素子に対応する。本実施形態に係る制御装置は、表示装置とは異なる発光装置に設けられてもよい。また、本実施形態に係る制御装置は、表示装置、発光装置、等とは別体の装置であってもよい。
【００２０】
本実施形態に係る制御装置、当該制御装置を備える装置、等の態様は任意に選択することができる。例えば、本実施形態に係る制御装置、当該制御装置を備える装置、等は、広告表示装置、標識表示装置、投影装置（プロジェクタ）、テレビジョン装置、街灯、室内照明、顕微鏡照明、懐中電灯、パーソナルコンピュータ（ＰＣ）、ＰＤＡ、タブレット端末、携帯電話端末（スマートフォンを含む）、撮像装置（デジタルカメラ）、デジタルフォトフレーム、ゲーム機、家電装置、車載装置、等である。
【００２１】
（表示装置の構成例）
図１は、本実施形態に係る表示装置１００の構成例を示すブロック図である。
【００２２】
制御部１７０は、表示装置１００が備える各機能部の処理を制御する。例えば、制御部１７０は、マイクロプロセッサである。各機能部の処理の制御方法は特に限定されない。本実施形態では、制御部１７０は、記憶部１４０に記録されたプログラムを記憶部１４０から読み出し、読み出したプログラムを不図示のＲＡＭに展開して実行する。それにより、各機能部の処理が制御される。
【００２３】
発光制御部１８０は、１つ以上の光源部を備え、制御部１７０からの指示に応じて光源部の発光（発光量と発光色の少なくとも一方）を制御する。具体的には、発光制御部１８０は、光源部を駆動するための駆動信号を制御部１７０からの指示に応じて制御することにより、光源部の発光を制御する。光源部は、１つ以上の発光素子を備える。発光素子は、例えば、発光ダイオード（ＬＥＤ：Ｌｉｇｈｔ  Ｅｍｉｔｔｉｎｇ  Ｄｉｏｄｅ）、有機ＥＬ素子、レーザ光源、冷陰極管、等である。表示装置１００が透過型の液晶表示装置である場合などにおいては、発光制御部１８０は「バックライトユニット」などと呼ぶことができる。
【００２４】
本実施形態では、発光制御部１８０が、赤色光を発する赤色ＬＥＤ、緑色光を発する緑色ＬＥＤ、及び、青色光を発する青色ＬＥＤの３つのＬＥＤのそれぞれを、光源部として備える例を説明する。また、本実施形態では、駆動信号がパルス信号であり、且つ、駆動信号のパルス幅を制御することにより光源部の発光量が制御される例を説明する。パルス幅の制御は、「ＰＷＭ（Ｐｕｌｓｅ  Ｗｉｄｔｈ  Ｍｏｄｕｌａｔｉｏｎ）制御」などと呼ばれる。
【００２５】
なお、光源部は、赤色ＬＥＤ、緑色ＬＥＤ、青色ＬＥＤ、等に限られない。例えば、白色光を発する白色ＬＥＤが光源部として使用されてもよい。赤色ＬＥＤ、緑色ＬＥＤ、及び、青色ＬＥＤの組み合わせが、１つの光源部として使用されてもよい。光源部の発光の制御は、光源部の発光色の制御、光源部の発光量と発光色の両方の制御、等であってもよ
い。光源部の発光の制御は、ＰＷＭ制御に限られない。例えば、駆動信号のパルス振幅を制御することにより光源部の発光が制御され手もよい。パルス振幅の制御は、「ＰＡＭ（Ｐｕｌｓｅ  Ａｍｐｌｉｔｕｄｅ  Ｍｏｄｕｌａｔｉｏｎ）制御」などと呼ばれる。パルス幅とパルス振幅の両方を制御することにより、光源部の発光が制御されてもよい。駆動信号は、パルス信号でなくてもよい。
【００２６】
画像入力部１１０は、画像データを取得し、取得した画像データを画像処理部１２０へ出力する。例えば、画像入力部１１０は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ
Ｉｎｔｅｒｆａｃｅ）、ＤｉｓｐｌａｙＰｏｒｔ、等の画像入力端子である。画像入力部１１０は、パーソナルコンピュータ、ビデオプレイヤー、等の画像出力機器に接続され、画像出力装置から出力された画像データを取得し、取得した画像データを画像処理部１２０へ出力する。なお、画像入力部１１０は、記憶部１４０から画像データを読み出し、読み出した画像データを画像処理部１２０へ出力してもよい。
【００２７】
画像処理部１２０は、画像入力部１１０から出力された画像データに対して所定の画像処理を施し、所定の画像処理後の画像データを表示部１３０へ出力する。所定の画像処理は、例えば、表示部１３０の表示特性などに基づく画像処理である。具体的には、所定の画像処理は、輝度補正、ガンマ補正、等である。
【００２８】
表示部１３０は、光源部から発せられた光を、画像処理部１２０から出力された画像データに応じて変調することにより、当該画像データに対応する画像を画面に表示する。表示装置１００が透過型の液晶表示装置である場合には、表示部１３０は液晶パネルであり、表示部１３０は、表示部１３０の各液晶素子の透過率を、画像処理部１２０から出力された画像データに応じて制御する。そして、光源部から発せられた光が表示部１３０を透過することにより、画面に画像が表示される。
【００２９】
光検出部１５０は、光源部から発せられた光の発光量と発光色の少なくとも一方を検出する光センサである。光検出部１５０は、光源部から発せられた光の発光量と発光色の少なくとも一方の検出値である光検出値を制御部１７０へ出力する。複数の光源部が存在する場合には、例えば、光検出部１５０は、複数の光源部のそれぞれについて、上記処理を行う。本実施形態では、光検出部１５０は、カラーセンサとＡ／Ｄコンバータを備え、赤色ＬＥＤから発せられた赤色光の光量、緑色ＬＥＤから発せられた緑色光の光量、及び、青色ＬＥＤから発せられた青色光の光量を検出する。そして、光検出部１５０は、検出した３つの光量にそれぞれ対応する３つの光検出値を制御部１７０へ出力する。光量に応じたアナログ値がカラーセンサによって得られる。そして、Ａ／Ｄコンバータによって、得られたアナログ値が、光検出値であるデジタル値に変換される。
【００３０】
なお、本実施形態に係る制御装置が表示装置１００とは別体の装置である場合には、制御装置は、光検出部１５０を備えずに、光検出部１５０から出力された光検出値を取得する機能部を備えてもよい。また、白色ＬＥＤのみが光源部として使用される場合には、白色ＬＥＤから発せられた光の発光量を検出するフォトダイオードを用いて、光検出部１５０が構成されてもよい。
【００３１】
温度判断部１６０は、光源部の温度に関連する温度情報を取得し、取得した温度情報を制御部１７０へ出力する。複数の光源部が存在する場合には、例えば、温度判断部１６０は、複数の光源部のそれぞれについて、上記処理を行う。温度情報は、例えば、光源部の周囲の温度の検出値、光源部が使用される環境の温度の検出値、駆動信号から判断された光源部の発熱量、及び、駆動信号から判断された光源部の消費電力の少なくともいずれかを示す。本実施形態では、温度判断部１６０は、温度センサとＡ／Ｄコンバータを備え、
光源部の周囲の温度を検出し、当該温度の検出値である温度検出値を温度情報として制御部１７０へ出力する。温度に応じたアナログ値が温度センサによって得られる。そして、Ａ／Ｄコンバータによって、得られたアナログ値が、温度検出値であるデジタル値に変換される。
【００３２】
なお、本実施形態に係る制御装置が表示装置１００とは別体の装置である場合には、制御装置は、温度センサを備えずに、温度センサから出力された温度検出値を取得する機能部を備えてもよい。
【００３３】
記憶部１４０は、様々なデータを記憶することができる。記憶部１４０は、例えば、ＥＥＰＲＯＭなどの不揮発性メモリであり、半導体メモリ、磁気ディスク、光ディスク、等である。制御部１７０は、記憶部１４０からデータを読み出したり、記憶部１４０にデータを書き込んだり、記憶部１４０に記録されたデータを更新したりすることができる。なお、記憶部１４０は、表示装置１００に内蔵された記憶部であってもよいし、表示装置１００に対して着脱可能な記憶装置であってもよい。
【００３４】
本実施形態では、記憶部１４０は、制御部１７０により実行されるプログラム、各機能部の処理において必要なパラメータ、等を記憶する。そして、本実施形態では、記憶部１４０に、初期信号情報、光検出値の目標値、等が予め記録される。初期信号情報は、所定の駆動信号に関連する情報である。初期信号情報は、例えば、所定の駆動信号（パルス信号）のデューティ比、所定の駆動信号のパルス幅、及び、所定の駆動信号のパルス振幅の少なくともいずれかを示す。デューティ比は、例えば、駆動信号の周期とパルス幅の比である。駆動信号の周期が固定である場合には、デューティ比をパルス幅で規定することもできる。
【００３５】
本実施形態では、表示装置１００の工場出荷前に、光源部の温度が所定温度である場合において目標値と略等しい光検出値が得られるデューティ比が、初期信号情報（初期デューティ比）として予め定められる。本実施形態において、「略」は「完全」を含む。ここで、ユーザ操作に応じて、目標値を変更し、表示輝度（画面の輝度）と表示色（画面の色）の少なくとも一方を変更することができるように、表示装置１００が構成される場合を考える。この場合には、複数の目標値が予め定められ、複数の目標値にそれぞれ対応する複数の初期デューティ比が予め定められる。
【００３６】
また、本実施形態では、制御部１７０は、劣化補正値を決定するために、現在のタイミングに対応する駆動情報と、現在のタイミングに対応する温度検出値とを記憶部１４０に記録する記録処理を行う。駆動情報は、駆動信号に関連する情報である。例えば、駆動情報は、駆動信号（パルス信号）のデューティ比、駆動信号のパルス幅、駆動信号のパルス振幅、所定の駆動信号を補正するための総合補正値、及び、光検出値の少なくともいずれかを示す。総合補正値は、光源部の劣化と当該光源部の温度とを考慮して所定の駆動信号を補正するための補正値である。
【００３７】
本実施形態では、光検出値と温度検出値の少なくとも一方に基づいて、光検出値が目標値に近づくように駆動信号を制御する駆動制御（フィードバック制御）が、制御部１７０により行われる。本実施形態では、記録処理により、現在のタイミングにおいて目標値と略等しい光検出値が得られる総合補正値が、駆動情報として記録される。そして、記録処理により、駆動信号の記録時に検出された温度の検出値（温度検出値）が記録される。
【００３８】
劣化補正値は、所定の駆動信号を光源部の劣化を考慮して補正するための補正値である。本実施形態では、初期デューティ比の決定時における温度検出値（光源部の周囲の温度）Ｔを「温度検出値Ｔａ」と記載する。そして、記録処理時における光源部の劣化度合い
Ｄを「劣化度合いＤｂ」と記載する。本実施形態では、温度検出値Ｔ＝Ｔａかつ劣化度合いＤ＝Ｄｂの場合において目標値と略等しい光検出値が得られるデューティ比の、初期デューティ比に対する比率が、劣化補正値として決定される。初期デューティ比に対して劣化補正値を乗算することにより、温度検出値Ｔ＝Ｔａかつ劣化度合いＤ＝Ｄｂの場合において目標値と略等しい光検出値が得られる上記デューティ比を決定することができる。なお、劣化補正値は、初期デューティ比に乗算される補正係数に限られない。例えば、劣化補正値は、初期デューティ比に加算されるオフセット値であってもよい。
【００３９】
さらに、本実施形態では、記憶部１４０に、温度検出値と温度補正値の対応関係を示す温度テーブルデータが予め記録される。温度補正値は、所定の駆動信号を光源部の温度を考慮して補正するための補正値である。本実施形態では、温度テーブルデータによって示された温度検出値Ｔを「温度検出値Ｔｂ」と記載する。そして、初期デューティ比の決定時における光源部の劣化度合いＤを「劣化度合いＤａ」と記載する。本実施形態では、温度検出値Ｔ＝Ｔｂかつ劣化度合いＤ＝Ｄａの場合において目標値と略等しい光検出値が得られるデューティ比の、初期デューティ比に対する比率が、温度補正値として予め定められる。初期デューティ比に対して温度補正値を乗算することにより、温度検出値Ｔ＝Ｔｂかつ劣化度合いＤ＝Ｄａの場合において目標値と略等しい光検出値が得られる上記デューティ比を決定することができる。なお、温度補正値は、初期デューティ比に乗算される補正係数に限られない。例えば、温度補正値は、初期デューティ比に加算されるオフセット値であってもよい。また、温度テーブルデータの代わりに、温度検出値と温度補正値の対応関係を示す他の情報（関数など）が予め定められてもよい。
【００４０】
図２は、温度テーブルデータの一例を示す。ここで、劣化度合いＤ＝Ｄａの光源部が初期デューティ比で駆動される場合を考える。この場合には、例えば、温度検出値Ｔの増加により光源部の発光量は低下し、温度検出値Ｔの低下により光源部の発光量は増加する。そして、温度検出値Ｔ＝Ｔａの場合には、目標値と略等しい光検出値が得られる。そのため、図２の温度テーブルデータでは、温度検出値Ｔｂ＝Ｔａに対して、温度補正値として１が対応付けられる。温度検出値Ｔｂ＞Ｔａに対して、温度検出値Ｔの増加による発光量の低下が抑制されるように、１よりも大きい温度補正値が対応付けられる。そして、温度検出値Ｔｂ＜Ｔａに対して、温度検出値Ｔの低下による発光量の増加が抑制されるように、１よりも小さい温度補正値が対応付けられる。
【００４１】
本実施形態では、駆動制御の開始時において、制御部１７０は、過去総合補正値、過去温度検出値、及び、現温度検出値に基づいて、駆動信号を制御する。駆動制御の開始時は、例えば、表示装置１００の起動時（電源投入時）と駆動制御の再開時との少なくと一方である。過去補正値は、過去のタイミングに対応する総合補正値であり、「過去駆動情報」とも言える。過去温度検出値は、上記過去のタイミングに対応する温度検出値であり、「過去温度情報」とも言える。そして、現温度検出値は、現在のタイミングに対応する温度検出値であり、例えば駆動制御の開始時に検出された温度の検出値である。現温度検出値は「現温度情報」とも言える。
【００４２】
例えば、駆動制御の開始時において、制御部１７０は、過去総合補正値、過去温度検出値に対応する温度補正値、及び、現温度検出値に対応する温度補正値に基づいて、駆動信号を制御する。具体的には、駆動制御の開始時において、制御部１７０は、過去総合補正値と、過去温度検出値に対応する温度補正値とに基づいて、劣化補正値を決定する。そして、制御部１７０は、決定した劣化補正値と、現温度検出値に対応する温度補正値とを用いて所定の駆動信号を補正することにより、光源部の駆動信号を決定する。本実施形態では、総合補正値は、劣化補正値を温度補正値に乗算した値に対応する。そのため、過去温度検出値に対応する温度補正値で過去総合補正値を除算することにより、劣化補正値が決定される。そして、決定した劣化補正値を、現温度検出値に対応する温度補正値に乗算す
ることにより、総合補正値が決定される。そして、制御部１７０は、決定した総合補正値を、発光制御部１８０へ出力する。駆動信号は、総合補正値に応じて決まる。そのため、総合補正値を決定する処理は、「駆動信号を決定する処理」とも言える。
【００４３】
そして、本実施形態では、駆動制御の開始後において、制御部１７０は、現在のタイミングに対応する光検出値に基づいて、光源部の駆動信号を制御する。現在のタイミングに対応する光検出値は、例えば、当該現在のタイミングで検出された光の検出値である。例えば、駆動制御の開始後において、制御部１７０は、現在の光検出値に応じて総合補正値を決定し、決定した総合補正値を発光制御部１８０へ出力する。
【００４４】
駆動制御の開始時において制御部１７０が上記処理を行うことにより、光源部の発光量が所望の発光量に制御されるまでに要する時間（収束時間）をより確実に短縮することができる。所望の発光量は、目標値と略等しい光検出値が得られる発光量である。具体的には、上記処理により、劣化度合いＤ＝Ｄｂに対応する劣化補正値が決定される。そして、上記処理で決定された総合補正値を初期デューティ比に乗算することにより、温度検出値Ｔ＝現温度検出値Ｔｃかつ劣化度合いＤ＝Ｄｄの場合において目標値と略等しい光検出値が得られるデューティ比を決定することができる。その結果、収束時間をより確実に短縮することができる。
【００４５】
複数の光源部が存在する場合には、記憶部１４０は、例えば、複数の光源部のそれぞれについて、初期信号情報、記録処理で記録される駆動情報、記録処理で記録される温度情報、温度テーブルデータ、等を記憶する。制御部１７０は、複数の光源部が存在する場合には、制御部１７０は、複数の光源部のそれぞれについて駆動制御を行う。
【００４６】
なお、駆動信号の制御方法は上記方法に限られない。制御部１７０が、デューティ比、駆動信号、等を発光制御部１８０へ出力してもよい。例えば、駆動制御の開始時において、温度補正値の判断、劣化補正値の判断、総合補正値の判断、等は行われなくてもよい。総合補正値は、劣化補正値を温度補正値に乗算した値に対応するため、制御部１７０は、総合補正値の代わりに、劣化補正値と温度補正値を発光制御部１８０へ出力してもよい。過去総合補正値、過去温度検出値、及び、現温度検出値を少なくとも用いれば、収束時間がより確実に短縮されるように、光源部の駆動信号を制御することができる。
【００４７】
駆動制御の開始後において、制御部１７０が、総合補正値とは異なる補正値を、発光制御部１８０へ出力してもよい。例えば、制御部１７０は、総合補正値の代わりに、直前の駆動信号からの差分（比率、オフセット値、等）を、発光制御部１８０へ出力してもよい。
【００４８】
初期信号情報として、初期デューティ比とは異なる情報が使用されてもよい。駆動情報として、総合補正値とは異なる情報が使用されてもよい。温度情報として、光源部の周囲の温度の検出値とは異なる情報が使用されてもよい。
【００４９】
（発光制御部の内部構成例）
図３は、発光制御部１８０の内部構成例を示すブロック図である。発光制御部１８０には、記憶部１４０から読み出された初期デューティ比が、制御部１７０から入力される。また、発光制御部１８０には、総合補正値が、制御部１７０から入力される。
【００５０】
信号発生部２００は、初期デューティ比と総合補正値に基づいて駆動信号を生成する。具体的には、信号発生部２００は、初期デューティ比に総合補正値を乗算することにより、デューティ比を算出し、算出したデューティ比に基づいて駆動信号を生成する。そして、信号発生部２００は、生成した駆動信号を駆動制御部２１０へ出力する。本実施形態で
は、赤色ＬＥＤ２２０の駆動信号、緑色ＬＥＤ２３０の駆動信号、及び、青色ＬＥＤ２４０の駆動信号が生成される。
【００５１】
駆動制御部２１０は、信号発生部２００から出力された駆動信号に応じた電流（または電圧）を光源部に供給することにより、光源部を駆動する。本実施形態では、赤色ＬＥＤ２２０、緑色ＬＥＤ２３０、及び、青色ＬＥＤ２４０が駆動される。
【００５２】
（記録処理の具体例）
本実施形態に係る記録処理の具体例について、図４のフローチャートを用いて説明する。例えば、制御部１７０は、図４の記録処理に対応する処理プログラムを記憶部１４０から読み出し、読み出した処理プログラムを不図示のＲＡＭに展開して実行する。それにより、図４の記録処理が実現される。図４の記録処理は、例えば、目標値と略等しい光検出値が得られたタイミングで開始され、繰り返される。
【００５３】
まず、Ｓ３０１にて、制御部１７０は、光源部の累積点灯時間が閾値時間を超えたか否かを判断する。具体的には、制御部１７０は、光源部の累積点灯時間の情報と、閾値時間の情報とを記憶部１４０から読み出し、読み出したそれらの情報に基づいて、累積点灯時間が閾値時間を超えたか否かを判断する。制御部１７０は、累積点灯時間が閾値時間を超えたと判断した場合にＳ３０２へ処理を進め、累積点灯時間が閾値時間を超えていないと判断した場合に記録処理を終了する。累積点灯時間は、例えば、表示装置１００の起動中に、不図示の内蔵タイマによってカウントされて更新される。
【００５４】
なお、閾値時間は、メーカによって予め定められた固定時間であってもよいし、ユーザによって指定された時間であってもよいし、表示装置１００によって決定された時間であってもよい。表示装置１００の起動中にＳ３０２とＳ３０３の処理が１回だけ行われるように、Ｓ３０２とＳ３０３の処理が行われた後において、記録処理が省略されてもよい。表示装置１００の起動中にＳ３０２とＳ３０３の処理が繰り返されるように、記録処理が繰り返されてもよい。制御部１７０は、Ｓ３０２とＳ３０３の処理を行う度に、使用する閾値時間を更新してもよい。例えば、制御部１７０は、所定の時間間隔で周期的にＳ３０２とＳ３０３の処理が行われるように、使用する閾値時間を更新してもよい。閾値時間は、光源部の劣化特性に基づいて定められた時間であってもよい。例えば、光源部の劣化による光源部の発光量の低下が大きい期間において、短い時間間隔でＳ３０２とＳ３０３の処理が繰り返されるように、使用する閾値時間が更新されてもよい。そして、光源部の劣化による光源部の発光量の低下が小さい期間において、長い時間間隔でＳ３０２とＳ３０３の処理が繰り返されるように、使用する閾値時間が更新されてもよい。例えば、累積点灯時間が短い場合には、光源部の劣化による光源部の発光量の低下が大きく、累積点灯時間が長い場合には、光源部の劣化による光源部の発光量の低下が小さい。Ｓ３０２とＳ３０３の処理は、駆動制御の終了時にのみ行われてもよい。駆動制御の終了時は、例えば、表示装置１００の停止時と駆動制御の中断時との少なくとも一方である。
【００５５】
また、表示装置１００の起動直後には、光源部の温度が安定しないことがある。表示装置１００が使用される環境の変化、ユーザによって指定された設定値（目標値、表示輝度、表示色、等）の変化、等が生じた場合にも、光源部の温度が安定しないことがある。そのため、累積点灯時間が閾値時間を超えたと判断された場合には、光源部の温度が安定した後に、Ｓ３０１からＳ３０２へ処理が進められてもよい。光源部の温度が安定したか否かは、例えば、温度判断部１６０から出力された温度検出値に基づいて判断することができる。
【００５６】
Ｓ３０２にて、制御部１７０は、現在の総合補正値を記憶部１４０に記録する。そして、Ｓ３０３にて、制御部１７０は、Ｓ３０２の処理時に検出された温度の検出値（温度検
出値）を記憶部１４０に記録する。そして、制御部１７０は、記録処理を終了する。このとき、制御部１７０は、必要に応じて、使用する閾値時間を更新する。
【００５７】
上記記録処理によれば、光源部の現在の劣化度合いに対応する総合補正値と、当該総合補正値に対応する温度検出値とが、記憶部１４０に記録される。そして、記録された総合補正値を過去総合補正値として用い、記録された温度検出値を過去温度検出値として用いることにより、現在の劣化度合いに近い劣化度合いに対応する劣化補正値を決定することができる。ここで、Ｓ３０２とＳ３０３の処理が繰り返される場合を考える。その場合には、記憶部１４０に対して最後に記録された総合補正値を過去総合補正値として使用し、記憶部１４０に対して最後に記録された温度検出値を過去温度検出値として使用することが好ましい。それにより、現在の劣化度合いにより近い劣化度合いに対応する劣化補正値を決定することができ、収束時間をより短縮することができる。駆動制御の終了時に記録された総合補正値と温度検出値を用いた場合にも、現在の劣化度合いにより近い劣化度合いに対応する劣化補正値を決定することができ、収束時間をより短縮することができる。Ｓ３０２とＳ３０３において、記憶部１４０に総合補正値と温度検出値が既に記録されている場合には、例えば、記憶部１４０に記録された総合補正値と温度検出値が、現在の総合補正値と温度検出値に更新されてもよい。
【００５８】
（駆動制御の具体例）
本実施形態に係る駆動制御の具体例について、図５のフローチャートを用いて説明する。具体的な処理を説明する。例えば、制御部１７０は、図５の駆動制御に対応する処理プログラムを記憶部１４０から読み出し、読み出した処理プログラムを不図示のＲＡＭに展開して実行する。それにより、図５の駆動制御が実現される。図５の駆動制御は、例えば、表示装置１００が起動したタイミングで開始され、表示装置１００の起動中に繰り返される。
【００５９】
まず、Ｓ５０１にて、制御部１７０は、現在のタイミングが駆動制御の開始時のタイミングであるか否かを判断する。具体的には、現在のタイミングが、表示装置１００の起動後に初めて電流を光源部に供給するタイミングであるか否かを、制御部１７０は判断する。換言すれば、発光制御部１８０において光源部に電流が供給されているか否かを、制御部１７０は判断する。制御部１７０は、現在のタイミングが駆動制御の開始時のタイミングであると判断した場合にＳ５０２へ処理を進め、現在のタイミングが駆動制御の開始時のタイミングでないと判断した場合にＳ５０６へ処理を進める。
【００６０】
なお、駆動制御の開始時のタイミングは上記タイミングに限られない。例えば、駆動制御の停止状態から駆動制御が開始または再開されるタイミングが、駆動制御の開始時のタイミングとして扱われてもよい。具体的には、表示装置１００がスタンバイ状態から復帰するタイミングが、駆動制御の開始時のタイミングとして扱われてもよい。何らかの理由によって駆動制御が停止された場合に、駆動制御の再開時のタイミングが、駆動制御の開始時のタイミングとして扱われてもよい。
【００６１】
Ｓ５０２にて、制御部１７０は、過去総合補正値と、過去温度検出値に対応する温度補正値とに基づいて、劣化補正値を決定する。そして、制御部１７０は、Ｓ５０３へ処理を進める。具体的には、制御部１７０は、記憶部１４０に記録された温度テーブルデータと、記録処理によって記憶部１４０に記録された温度検出値（過去温度検出値）とに基づいて、過去温度検出値に対応する温度補正値を判断する。そして、制御部１７０は、記録処理によって記憶部１４０に記録された総合補正値（過去総合補正値）を、判断した温度補正値で除算することにより、劣化補正値を算出する。Ｓ５０２の処理により、過去温度検出値と過去総合補正値の記録処理時における光源部の劣化度合いＤ＝Ｄｂに対応する劣化補正値が決定される。劣化度合いＤｂは、光源部の現在の劣化度合いと略同一である。
【００６２】
なお、劣化補正値の決定方法は上記方法に限られない。例えば、制御部１７０は、過去総合補正値の代わりに駆動信号のデューティ比（過去デューティ比）を使用してもよい。具体的には、制御部１７０は、過去デューティ比を温度補正値で除算してもよい。除算後のデューティ比は、温度検出値Ｔ＝Ｔａかつ劣化度合いＤ＝Ｄｂの場合において目標値と略等しい光検出値が得られるデューティ比である。温度検出値Ｔａは、初期デューティ比の決定時における温度検出値である。そして、制御部１７０は、除算後のデューティ比で初期デューティ比を除算するすることにより、劣化補正値を算出してもよい。
【００６３】
また、制御部１７０は、過去総合補正値の代わりに光検出値（過去光検出値）を使用してもよい。具体的には、制御部１７０は、過去光検出値を温度補正値で除算してもよい。除算後の光検出値は、温度検出値Ｔ＝Ｔａかつ劣化度合いＤ＝Ｄｂの場合における光検出値である。そして、制御部１７０は、除算後の光検出値で初期光検出値を除算するすることにより、劣化補正値を算出してもよい。初期光検出値は、初期デューティ比の決定時における光検出値であり、例えば上述した目標値である。
【００６４】
Ｓ５０３にて、制御部１７０は、温度判断部１６０から出力された現温度検出値（現在のタイミングに対応する温度検出値）と、温度テーブルデータとに基づいて、現温度検出値に対応する温度補正値を判断する。そして、制御部１７０は、Ｓ５０４へ処理を進める。以後、現温度検出値に対応する温度補正値を「現温度補正値」と記載する。
【００６５】
Ｓ５０４にて、制御部１７０は、Ｓ５０３において算出した現温度補正値に、Ｓ５０２において算出した劣化補正値を乗算することにより、総合補正値を算出する。そして、制御部１７０は、Ｓ５０５へ処理を進める。Ｓ５０３において算出された現温度補正値は、現温度検出値Ｔｃに対応する。そして、上述したように、Ｓ５０２において算出された劣化補正値は、劣化度合いＤｂに対応する。そのため、算出された総合補正値は、現温度検出値Ｔｃと劣化度合いＤｂに対応する。
【００６６】
Ｓ５０５にて、制御部１７０は、Ｓ５０４で算出された総合補正値と、記憶部１４０から読み出した初期デューティ比とを、発光制御部１８０へ出力する。そして、制御部１７０は、発光制御を終了する。発光制御部１８０は、Ｓ５０４で算出された総合補正値を初期デューティ比に乗算することにより、デューティ比を算出する。そして、発光制御部１８０は、算出したデューティ比で駆動する。上述したように、Ｓ５０４で算出された総合補正値は、現温度検出値Ｔｃと劣化度合いＤｂに対応する。そのため、Ｓ５０４で算出された総合補正値を初期デューティ比に乗算することにより、温度検出値Ｔ＝Ｔｃかつ劣化度合いＤ＝Ｄｂの場合において目標値と略等しい光検出値が得られるデューティ比を算出することができる。ここで、温度検出値Ｔの増加により光源部の発光量が低下し、且つ、光源部の劣化により光源部の発光量が低下する場合を考える。現温度検出値Ｔｃ＞Ｔａかつ劣化度合いＤｂ＞Ｄａの場合には、初期デューティ比よりも大きいデューティ比が算出される。劣化度合いＤａは、初期デューティ比の決定時における光源部の劣化度合いである。それにより、収束時間を短縮することができる。
【００６７】
次に、Ｓ５０１で現在のタイミングが駆動制御の開始時のタイミングでないと判断された場合の処理について説明する。この場合には、上述したように、制御部１７０は、Ｓ５０１からＳ５０６へ処理を進める。Ｓ５０６にて、制御部１７０は、光検出部１５０から出力された現光検出値（現在のタイミングに対応する光検出値）と、記憶部１４０に記録された目標値との差を算出する。そして、制御部１７０は、Ｓ５０７へ処理を進める。
【００６８】
Ｓ５０７にて、制御部１７０は、光源部の現在の発光量が所望の発光量であるか否かを判断する。具体的には、制御部１７０は、Ｓ５０６で算出した差の絶対値が閾値以下であ
るか否かを判断する。なお、閾値は、メーカによって予め定められた固定値であってもよいし、ユーザによって指定された値であってもよいし、表示装置１００によって決定された値であってもよい。閾値は、光検出値の誤差に基づいて定められた値であることが好ましい。例えば、ノイズによる光検出値の変動が無視されるように、当該変動の幅よりも大きい値が、閾値として使用されることが好ましい。
【００６９】
Ｓ５０６で算出した差の絶対値が閾値以下であると判断された場合に、制御部１７０は、現在のデューティ比を維持する制御を行い、制御処理を終了する。一方で、Ｓ５０６で算出した差の絶対値が閾値以下でないと判断された場合には、制御部１７０は、Ｓ５０８へ処理を進める。
【００７０】
Ｓ５０８にて、制御部１７０は、使用する総合補正値を更新する。そして、制御部１７０は、Ｓ５０９へ処理を進める。例えば、制御部１７０は、Ｓ５０６で算出した差の正負に応じて、総合補正値の増減を判断し、総合補正値を更新する。具体的には、制御部１７０は、現光検出値が目標値よりも小さい場合には総合補正値を高め、現光検出値が目標値よりも大きい場合には総合補正値を低減する。なお、総合補正値の増減量は、Ｓ５０６で算出された差の絶対値に比例してもよいし、そうでなくてもよい。
【００７１】
Ｓ５０９にて、制御部１７０は、Ｓ５０８の更新後の総合補正値と、記憶部１４０から読み出した初期デューティ比とを、発光制御部１８０へ出力する。そして、制御部１７０は、発光制御を終了する。発光制御部１８０は、Ｓ５０８の更新後の総合補正値を初期デューティ比に乗算することにより、デューティ比を算出する。そして、発光制御部１８０は、算出したデューティ比で駆動する（デューティ比の更新）。
【００７２】
なお、Ｓ５０８において、総合補正値とは異なる補正値が決定されてもよい。例えば、総合補正値を補正するための補正値が決定されてもよい。この場合には、制御部１７０は、現温度補正値、劣化補正値、及び、Ｓ５０８で決定された補正値を、発光制御部１８０へ出力してもよい。そして、発光制御部１８０は、それら３つの補正値の積を総合補正値として用いて、デューティ比を算出してもよい。
【００７３】
以上述べたように、本実施形態によれば、駆動制御の開始時において、過去駆動情報、過去温度情報、及び、現温度情報に基づいて、光源部の駆動信号が制御される。それにより、光源部の現在の温度、光源部の現在の劣化度合い、等に対して好適な駆動信号で駆動制御を開始することができ、収束時間をより確実に短縮することができる。
【００７４】
なお、本実施形態の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００７５】
なお、上述した実施形態はあくまで一例であり、本発明の要旨の範囲内で当該実施形態の構成を適宜変形したり変更したりすることにより得られる構成も、本発明に含まれる。
【００７６】
＜その他の実施形態＞
本発明は、上述の実施形態の１以上の機能を実現するプログラムを、ネットワーク又は記憶媒体を介してシステム又は装置に供給し、そのシステム又は装置のコンピュータにお
ける１つ以上のプロセッサがプログラムを読出し実行する処理でも実現可能である。また、１以上の機能を実現する回路（例えば、ＡＳＩＣ）によっても実現可能である。
【符号の説明】
【００７７】
１５０：光検出部  １６０：温度判断部  １７０：制御部
【図１】
2018206510.tif 000003
【図２】
2018206510.tif 000004
【図３】
2018206510.tif 000005
【図４】
2018206510.tif 000006
【図５】
2018206510.tif 000007